(57)【要約】【課題】店舗外において携帯端末を利用した決済を実行することができるとともに、コストがかからず、利用者に安心感を与えることができる。【解決手段】宅配物品の受取人が所有する携帯電話機４が、宅配物品を受け取るときに、納品伝票に付されたコードに収納されている決済に必要な情報を読み取り、読み取った情報にＵＩＭカード４７Ｄに保持されているクレジット情報などを付加して携帯キャリア決済サーバ５に送信する。携帯キャリア決済サーバ５は、携帯電話機４から送信された情報にもとづいてユーザの認証を行った後に取引の決済処理を実行する。また、携帯キャリア決済サーバ５は、決済処理の実行後に決済処理が完了したことを示す決済完了通知を携帯電話機４に送信する。携帯電話機４は、決済完了通知をコード化して表示し、配達人の携帯電話機３に読み取らせる。【選択図】図１
2007257474.tif 000002
【特許請求の範囲】
【請求項１】
宅配物品の受け取りの際に決済を行う携帯端末を利用した決済システムであって、
宅配物品の受取人が所有する受取人携帯端末と、
予め登録されているユーザの認証を行った後に取引の決済処理を実行する決済サーバとを備え、
前記受取人携帯端末は、
前記宅配物品を受け取るときに、納品書に付されたコードに収納されている決済に必要なデータを読み取るコード読取手段と、
読み取ったデータに、当該受取人携帯端末内に存在しているデータであって認証に使用可能なデータを付加して前記決済サーバに送信するデータ送信手段とを含み、
前記決済サーバは、前記受取人携帯端末から送信されたデータにもとづいてユーザの認証を行った後に取引の決済処理を実行する
ことを特徴とする携帯端末を利用した決済システム。
【請求項２】
宅配物品を配達する配達人によって保持される配達人携帯端末を備え、
受取人携帯端末は、
所定のデータをコード化するコード作成手段と、
前記コード作成手段によって作成されたコードを表示するコード表示手段とを含み、
前記配達人携帯端末は、コードに収納されている所定のデータを読み取る配達側コード読取手段を含み、
決済サーバは、決済処理を実行した後に決済処理が完了したことを示す決済完了通知を前記受取人携帯端末に送信し、
前記コード作成手段は、前記決済サーバから送信された決済完了通知のデータをコード化し、
前記コード表示手段は、前記コード作成手段によって作成されたコードを表示し、
前記配達側コード読取手段は、前記コード表示手段によって表示されたコードに収納されている決済完了通知のデータを読み取る
請求項１記載の携帯端末を利用した決済システム。
【請求項３】
宅配物品の配達状況と決済状況を管理する宅配管理装置を備え、
配達人携帯端末は、配達側コード読取手段によって読み取られた決済完了通知のデータを前記宅配管理装置に送信する
請求項２記載の携帯端末を利用した決済システム。
【請求項４】
コードは２次元コードである
請求項１から請求項３のうちのいずれか１項記載の携帯端末を利用した決済システム。
【請求項５】
決済サーバは、決済完了通知を宅配管理装置に送信する
請求項３または請求項４記載の携帯端末を利用した決済システム。
【請求項６】
宅配物品の受け取りの際に決済を行う携帯端末を利用した決済方法であって、
前記宅配物品の受取人が所有する受取人携帯端末の端末制御手段が制御プログラムに従って、
前記宅配物品を受け取るときに、納品書に付されたコードに収納されている決済に必要なデータを読み取り、
読み取ったデータに、当該受取人携帯端末内に存在しているデータであって認証に使用可能なデータを付加して前記決済サーバに送信し、
決済サーバの制御手段が制御プログラムに従って、
前記受取人携帯端末から送信されたデータにもとづいてユーザの認証を行った後に取引の決済処理を実行する
ことを特徴とする携帯端末を利用した決済方法。
【請求項７】
決済サーバの制御手段が、決済処理を実行した後に決済処理が完了したことを示す決済完了通知を受取人携帯端末に送信し、
前記受取人携帯端末の端末制御手段が、前記決済サーバから送信された決済完了通知のデータをコード化して表示し、
配達人携帯端末の端末制御手段が、制御プログラムに従って前記受取人携帯端末によって表示されたコードに収納されている決済完了通知のデータを読み取る
請求項６記載の携帯端末を利用した決済方法。
【請求項８】
配達人携帯端末の端末制御手段が、読み取った決済完了通知のデータを、宅配物品の配達状況と決済状況を管理する宅配管理装置に送信する
請求項７記載の携帯端末を利用した決済方法。
【請求項９】
コードは２次元コードである
請求項６から請求項８のうちのいずれか１項記載の携帯端末を利用した決済方法。
【請求項１０】
決済サーバの制御手段が、決済完了通知を宅配管理装置に送信する
請求項８または請求項９記載の携帯端末を利用した決済方法。
【発明の詳細な説明】
【技術分野】
【０００１】
本発明は、宅配物品の受け取りの際に決済を行う携帯端末を利用した決済システムおよび決済方法に関する。
【背景技術】
【０００２】
近年、携帯電話機を利用した取引の決済が行われている。携帯電話による決済には、大きく分けて二つの種類ある。ひとつはクレジットカード情報をＵＩＭカード（ＩＣチップ）の形で携帯電話機に入れて、携帯電話機自体をクレジットカード（後払い）として利用するものである。もうひとつは、携帯電話機の中の電子財布に事前に電子マネーをチャージしてプリペイドカード（前払い）のように活用するものである。
【０００３】
携帯電話機自体をクレジットカードとして利用する技術は、例えば特許文献１で提案されている。特許文献１には、店舗での取引時に、携帯端末が店舗端末から受信した取引情報とＵＩＭカード内のクレジットカード情報と電話番号と暗証番号とをサーバに送信し、サーバがそれらの情報にもとづいて認証を行った後に取引の決済を行うことが開示されている。
【０００４】
また、近年、バーコードに代わる２次元コードの一種であるＱＲコード（登録商標）が様々な分野で活用されている。例えば、製造部門において、発注者情報、受注者情報、品番、数量などをＱＲコード化することにより部品の発注・検品に利用することなどが行われている。また、ＱＲコードは、携帯電話機で読み取り可能である。そこで、携帯電話機がＱＲコードを読み取ることにより商品の代金の振り込みを行うことが考えられている。
【０００５】
携帯電話機を用いた振込方法は、例えば特許文献２で提案されている。特許文献２には、ＰＯＳ端末が商品の金額や振込先口座番号をＱＲコードのデータとして表示装置に表示し、携帯電話機が表示装置に表示されたＱＲコードを読み取り、読み取ったＱＲコードのデータを振込端末に送信し、振込端末が携帯電話機からのＱＲコードのデータにもとづいて指定された口座に商品の金額を振り込む処理を行うことが開示されている。
【０００６】
【特許文献１】特開２００４−１９９２６９号公報（段落００６９−００７３）
【特許文献２】特開２００２−１０９４２１号公報（段落００３２−００４４）
【発明の開示】
【発明が解決しようとする課題】
【０００７】
しかし、上記の特許文献１，２に記載されたシステムは、いずれも、店舗に設置されている端末と携帯電話機との間で情報の送受信が必要である。従って、宅配物品の受け取りの際に代金を支払うような店舗外において決済を行う場合には適用することができない。
【０００８】
一般に、物品を宅配されたときに決済を行う方法には、現金による支払いとクレジットカードによる支払いとがあるが、現金による支払いかクレジットカードによる支払いかを事前に指定しておく必要がある。このため、現金を持ち合わせていないときに物品を受け取る段階で支払方法を変更したい場合でも、そのような支払方法の変更に対応できないという問題があった。また、クレジットカードによる決済を行う場合、クレジットカードの情報を読み取るための専用機械（カードリーダ）を配達者の全員が持っていなければならず、コストがかかってしまう。また、物品の受取人が専用機械で読み取られたクレジットカードの情報が専用機械の中に残るのではないかと不安に思ってしまう。
【０００９】
そこで、本発明は、上記のような課題を解決するためになされたものであり、店舗外において携帯端末を利用した決済を実行することができるとともに、コストがかからず、利用者に安心感を与えることができる携帯端末を利用した決済システムおよび決済方法を提供することを目的とする。
【課題を解決するための手段】
【００１０】
以上の目的を達成するため、本発明による携帯端末を利用した決済システムは、宅配物品の受け取りの際に決済を行う携帯端末を利用した決済システムであって、宅配物品の受取人が所有する受取人携帯端末と、予め登録されているユーザの認証を行った後に取引の決済処理を実行する決済サーバとを備え、受取人携帯端末は、宅配物品を受け取るときに、納品書に付されたコードに収納されている決済に必要なデータを読み取るコード読取手段と、読み取ったデータに、受取人携帯端末内に存在しているデータであって認証に使用可能なデータを付加して決済サーバに送信するデータ送信手段とを含み、決済サーバは、受取人携帯端末から送信されたデータにもとづいてユーザの認証を行った後に取引の決済処理を実行することを特徴とする。
【００１１】
宅配物品を配達する配達人によって保持される配達人携帯端末を備え、受取人携帯端末は、所定のデータをコード化するコード作成手段と、コード作成手段によって作成されたコードを表示するコード表示手段とを含み、配達人携帯端末は、コードに収納されている所定のデータを読み取る配達側コード読取手段を含み、決済サーバは、決済処理を実行した後に決済処理が完了したことを示す決済完了通知を受取人携帯端末に送信し、コード作成手段は、決済サーバから送信された決済完了通知のデータをコード化し、コード表示手段は、コード作成手段によって作成されたコードを表示し、配達側コード読取手段は、コード表示手段によって表示されたコードに収納されている決済完了通知のデータを読み取るように構成されていてもよい。このような構成によれば、配達人が受取人から捺印やサインをもらうことなく配達および決済が完了したことの証明を受け取ることができる。
【００１２】
宅配物品の配達状況と決済状況を管理する宅配管理装置を備え、配達人携帯端末は、配達側コード読取手段によって読み取られた決済完了通知のデータを宅配管理装置に送信するように構成されていてもよい。このような構成によれば、宅配管理装置が容易かつ確実に宅配物品の配達状況と決済状況を管理することができる。
【００１３】
コードが２次元コードであれば、小スペースで大容量のデータを収納することができる。
【００１４】
決済サーバは、決済完了通知を宅配管理装置に送信するように構成されていてもよい。このような構成によれば、宅配管理装置が配達人携帯端末からの決済完了通知と決済サーバからの決済完了通知とをつき合わせて照合することができ、不正な決済を確実に突き止めることができる。
【００１５】
また、本発明による携帯端末を利用した決済方法は、宅配物品の受け取りの際に決済を行う携帯端末を利用した決済方法であって、宅配物品の受取人が所有する受取人携帯端末の端末制御手段が制御プログラムに従って、宅配物品を受け取るときに、納品書に付されたコードに収納されている決済に必要なデータを読み取り、読み取ったデータに、受取人携帯端末内に存在しているデータであって認証に使用可能なデータを付加して決済サーバに送信し、決済サーバの制御手段が制御プログラムに従って、受取人携帯端末から送信されたデータにもとづいてユーザの認証を行った後に取引の決済処理を実行することを特徴とする。
【００１６】
決済サーバの制御手段が、決済処理を実行した後に決済処理が完了したことを示す決済完了通知を受取人携帯端末に送信し、受取人携帯端末の端末制御手段が、決済サーバから送信された決済完了通知のデータをコード化して表示し、配達人携帯端末の端末制御手段が、制御プログラムに従って受取人携帯端末によって表示されたコードに収納されている決済完了通知のデータを読み取るように構成されていてもよい。このような構成によれば、配達人が受取人から捺印やサインをもらうことなく配達および決済が完了したことの証明を受け取ることができる。
【００１７】
配達人携帯端末の端末制御手段が、読み取った決済完了通知のデータを、宅配物品の配達状況と決済状況を管理する宅配管理装置に送信するように構成されていてもよい。このような構成によれば、宅配管理装置が容易かつ確実に宅配物品の配達状況と決済状況を管理することができる。
【００１８】
コードが２次元コードであれば、上記したように、小スペースで大容量のデータを収納することができる。
【００１９】
決済サーバの制御手段が、決済完了通知を宅配管理装置に送信するように構成されていてもよい。このような構成によれば、宅配管理装置が配達人携帯端末からの決済完了通知と決済サーバからの決済完了通知とをつき合わせて照合することができ、不正な決済を確実に突き止めることができる。
【発明の効果】
【００２０】
以上のように、本発明では、宅配物品の受取人が所有する受取人携帯端末が、宅配物品を受け取るときに、納品書に付されたコードに収納されている決済に必要なデータを読み取り、読み取ったデータに、受取人携帯端末内に存在しているデータであって認証に使用可能なデータを付加して決済サーバに送信し、決済サーバが、受取人携帯端末から送信されたデータにもとづいてユーザの認証を行った後に取引の決済処理を実行するように構成されているので、店舗外において携帯端末を利用した決済を実行することができるとともに、コストがかからず、利用者に安心感を与えることができる。
【発明を実施するための最良の形態】
【００２１】
以下、本発明の実施の一形態を図面を参照して説明する。
【００２２】
実施の形態１．
図１は、実施の形態１における決済システムの構成を示すシステム構成図である。図１に示すように、本発明の決済システムは、宅配業者管理サーバ１と、伝票発行システム２と、携帯電話機３と、携帯電話機４と、携帯キャリア決済サーバ５とを備えている。
【００２３】
図１に示す構成において、宅配業者管理サーバ１は、物品の配達状況や代金の支払い状況、顧客の住所・氏名などの情報（以下、管理情報という。）などを管理するサーバである。宅配業者管理サーバ１は、物品を受取人の自宅に配達する宅配業者によって設置されている。宅配業者としては、例えばピザ屋などのように顧客の注文に応じて商品を顧客の自宅に配達する業者（以下、商品配達業者という。）や、差出人からの小荷物を受取人に配達する業者（以下、荷物配達業者という。）などが想定される。
【００２４】
伝票発行システム２は、納品伝票を発行するシステムであって、宅配業者によって設置されている。伝票発行システム２の設置場所としては、ピザ屋などのように注文に応じて商品を配達（デリバリー）する商品配達業者であれば顧客からの注文を受け付ける店舗であり、差出人の荷物を受取人に配達する荷物配達業者であればコンビニエンスストアなどの顧客から荷物を引き取る店舗などである。納品伝票は、顧客からの注文や差出人からの荷物の引渡しに応じて発行される。
【００２５】
伝票発行システム２が発行する納品伝票は、請求書や領収書などが束になったものであり、その中にＱＲコード（登録商標）が所定の位置に印刷される。図２に示す例では、荷物の発送を依頼した依頼主の住所、氏名、電話番号を記入する「ご依頼主」の欄、荷物を受け取る者の住所、氏名、電話番号を記入する「お届け先」の欄などのほかに、右下にＱＲコードが印刷されている。ＱＲコードは小スペースで大容量のデータを収納可能なコードである。なお、図２に示す例では、切り出しシンボル（３つの角に配置された回のマーク）が３つのＱＲコードを利用しているが、切り出しシンボルが１つのマイクロＱＲコードを利用してもよい。
【００２６】
この実施の形態において、伝票に印刷されるＱＲコードには、顧客（受取人）に関する情報、代金（料金）に関する情報などのようなクレジットカード決済に必要な情報が最低限含まれている。例えば、商品配達業者の場合は、商品の注文をした顧客の氏名・住所などの顧客情報や、注文された商品の代金の情報、注文された商品の内容の情報、代金を請求する者（代金の支払い先）を特定する情報が含まれている。また、荷物配達業者の場合は、荷物を受け取る顧客（受取人）の氏名・住所などの顧客情報や、着払いの場合の運送料金の情報、料金を請求する者（料金の支払い先）を特定する情報が含まれている。なお、ＱＲコードには、クレジットカード決済に必要な情報のほかに、宅配業者が配達を管理するための情報（例えば、配達ごとに付される識別番号）などが含まれていてもよい。このように、この実施の形態では、ＱＲコードを利用することにより多くの情報をコードに収納することができる。
【００２７】
伝票発行システム２は、納品伝票を発行すると、通信回線（インターネットや電話回線、専用線など）を通じて、宅配業者管理サーバ１が物品の配達状況や代金の支払い状況などを管理するために必要な管理情報を送信する。宅配業者管理サーバ１は、管理情報を受信すると、受信した管理情報をデータベースに登録して管理する。なお、この実施の形態では、宅配業者管理サーバ１は、複数の店舗に設けられている伝票発行システム２からの管理情報を受信して登録する構成であるものとする。
【００２８】
携帯電話機３は、物品（商品または荷物）を配達する配達人が持っている携帯電話機である。携帯電話機３は、通話機能のほかに、メール送受信機能、カメラ撮影機能、ＱＲコード読取機能などを備えている。なお、これらの機能は、一般に販売されている携帯電話機が備えている機能と同じである。
【００２９】
携帯電話機４は、物品（商品または荷物）を受け取る顧客が持っている携帯電話機である。携帯電話機４は、通話機能のほかに、メール送受信機能、カメラ撮影機能などを備えている。さらに、クレジット決済サービスを利用する機能や、ＱＲコード読取機能、ＱＲコード作成機能を備えている。
【００３０】
携帯キャリア決済サーバ５は、携帯電話機４から送信された情報にもとづいてユーザの認証（本人認証）やクレジット決済の処理を実行するサーバである。携帯キャリア決済サーバ５は、携帯電話サービスを提供する通信事業者（キャリア）によって設置されている。なお、クレジット決済は、通信事業者と提携しているクレジットカード会社に代金（料金）の支払いを代行してもらうための処理のことをいう。
【００３１】
図３は、宅配業者管理サーバの構成を示すブロック図である。図３に示すように、宅配業者管理サーバ１は、通信部１１と、出力部１２と、入力部１３と、配達管理ＤＢ１４と、記憶部１５と、サーバ制御部１６とを含んでいる。
【００３２】
図３に示す構成において、通信部１１は、通信回線を通じて各種情報を送受信する。出力部１２は、オペレータの操作に応じて各種情報を表示装置（例えばモニタ：図示せず）に画面表示したり、印字装置（例えばプリンタ：図示せず）に印字させる。入力部１３は、オペレータの操作に応じて各種情報を入力する。配達管理データベース１４（以下、配達管理ＤＢ１４という。）は、伝票発行システム２から送信された管理情報を登録するデータベースである。記憶部１５は、サーバ制御部１６に各部の制御を実行させるためのサーバ制御プログラム１５Ａ（例えばＯＳ）を含む様々なデータを記憶するハードディスクなどの記憶装置である。なお、配達管理ＤＢ１４と記憶部１５は同じ記憶装置で構成されていてもよい。サーバ制御部１６は、サーバ制御プログラム１５Ａに従って各部の動作を制御する。
【００３３】
なお、宅配業者管理サーバ１における各部１１〜１３，１６は、ＣＰＵがサーバ制御プログラム１５Ａにもとづいて制御を実行することにより実現される。
【００３４】
図４は、顧客が所有する携帯電話機の構成を示すブロック図である。図４に示すように、携帯電話機４は、カメラ４１と、カメラ制御部４２と、無線通信部４３と、表示部４４と、入力部４５と、記憶部４６と、カード情報読取部４７と、端末制御部４８とを含んでいる。
【００３５】
図４に示す構成において、カメラ４１は、カメラ撮影を行うためのカメラモジュールである。具体的には、ＣＣＤのような半導体素子を用いて画像（光信号）を電気信号に変換し、それを画像データとして記録する。カメラ制御部４２は、カメラ４１が実行する撮影やデータ保存などの処理を制御する。
【００３６】
無線通信部４３は、基地局と無線通信を実行する。具体的には、データを送受信する制御や送受信するデータの符号化・複合化の制御を行う。表示部４４は、入力部４５から入力したデータや携帯電話機の各種の機能を液晶画面に表示する。入力部４５は、顧客（ユーザ）が行う各種操作に応じてデータを入力し、入力したデータを端末制御部４８に出力する。
【００３７】
記憶部４６は、様々なデータを記憶するメモリなどの記憶装置である。記憶部４６には、図４に示すように、端末制御部４８に各部の制御を実行させるための端末制御プログラム４６Ａと、ＱＲコードを読み取る処理を実行させるためのＱＲコード読取プログラム４６Ｂと、ＱＲコードを作成する処理を実行させるためのＱＲコード作成プログラム４６Ｃとが記憶（格納）されている。なお、ＱＲコード読取プログラム４６ＢおよびＱＲコード作成プログラム４６Ｃは、携帯電話機４の購入時に予め記憶されている場合を想定しているが、所定のサイトからダウンロードして記憶部４６に記憶されたものであってもよい。
【００３８】
カード情報読取部４７は、ＵＩＭ（Ｕｓｅｒ  Ｉｄｅｎｔｉｔｙ  Ｍｏｄｕｌｅ）カード４７Ｄのカード情報を読み取って端末制御部４８に出力する。ＵＩＭカード４７Ｄは、通信事業者（携帯電話会社）が発行する、契約者情報を記録したＩＣカードである。携帯電話機４に差し込んで携帯電話機４の利用者（ユーザ）の識別に利用する。また、ＵＩＭカード４７Ｄは、契約者情報以外に、電話帳などのプライベートな情報や、クレジット決済用の個人識別情報などを暗号化して登録することが可能である。
【００３９】
端末制御部４８は、端末制御プログラム４６Ａに従って携帯電話機４における各部の動作を制御する。
【００４０】
なお、携帯電話機４は、上記の構成以外にも、電源部やマイク部、鳴動部などの構成を備えているが、本発明と直接関係がないため図示を省略している。
【００４１】
次に、携帯端末を利用した決済システムの動作（決済方法）について説明する。
【００４２】
なお、この実施の形態では、顧客が商品（例えばピザ）を注文し、宅配業者が注文された商品を顧客に配達する場合について説明する。
【００４３】
（１）商品の注文および配達：
顧客は、店舗に電話をかけるなどして商品を注文する。店員は、注文を受けるときに、注文された商品以外に、顧客の住所、氏名などの情報を聞く。そして、店員は、顧客から聞いた情報を伝票発行システム２に入力して納品伝票を生成する。納品伝票には、上記したように、商品の代金のクレジット決済に必要な情報が収納されたＱＲコードが印刷（印字）される。伝票発行システム２は、納品伝票を生成した後に、商品の配達や代金の徴収を管理するための管理情報を宅配業者管理サーバ１に送信する。宅配業者管理サーバ１では、サーバ制御部１６は、伝票発行システム２からの管理情報を通信部１１を介して受信すると、受信した管理情報を商品の注文毎に配達管理ＤＢ１４に登録する。その後、宅配業者の配達人は、発行された納品伝票を持って商品を顧客の自宅に配達する。
【００４４】
（２）クレジット決済：
配達人は、商品を渡すときに、現金決済かクレジット決済かを顧客に尋ねる。顧客がクレジット決済を選択した場合は、以下のような手順で決済が行われる。
【００４５】
図５は、携帯電話機４が実行する決済処理の手順を示すフローチャートである。まず、顧客は、携帯電話機４に付いているカメラ４１で納品伝票に印刷されているＱＲコードを撮影する。図５に示すように、携帯電話機４では、端末制御部４８は、カメラ撮影ボタン（図示せず）が顧客によって押されたか否かを確認している（ステップＳ１）。カメラ撮影ボタンが押されると（ステップＳ１のＹｅｓ）、端末制御部４８は、カメラ撮影実行指示の制御信号をカメラ制御部４２に出力することによって、カメラ制御部４２にカメラ４１によるカメラ撮影を実行させる（ステップＳ２）。そして、端末制御部４８は、記憶部４６に記憶されているＱＲコード読取プログラム４６Ｂにもとづいて、撮影された画像の画像解析を実行し、ＱＲコードに収納されている情報の読み取りを実行する（ステップＳ３）。端末制御部４８は、読み取った情報を記憶部４６の所定の記憶領域（データの書込可能な領域）に書き込んで記憶する。なお、上述したように、読み取った情報には、クレジット決済に必要な情報、すなわち、商品の注文をした顧客の氏名・住所などの顧客情報や、注文された商品の代金の情報（金額情報）、注文された商品の内容の情報、代金を請求する者（代金の支払い先）を特定する情報が含まれている。
【００４６】
そして、端末制御部４８は、暗証番号入力画面を表示部４４に表示して、顧客にクレジット決済における認証に必要な暗証番号（バスワード）の入力を促す。端末制御部４８は、顧客による暗証番号の入力操作に応じて入力部４５を介して暗証番号を入力する（ステップＳ４）。そして、端末制御部４８は、読み取った情報（ＱＲコードに収納された情報）に、認証に使用可能なデータとしてＵＩＭカード４７Ｄに記憶されているクレジット情報（個人識別情報；なお、有効期限の情報も含まれている）と、携帯電話機４の電話番号と、暗証番号とを付加し（ステップＳ５）、それらの情報（決済要求情報）を携帯キャリア決済サーバ５に送信する（ステップＳ６）。
【００４７】
携帯キャリア決済サーバ５は、携帯電話機４から送信された決済要求情報を受信する。そして、携帯キャリア決済サーバ５は、受信した決済要求情報にもとづいて本人（ここでは顧客）の認証を行う。例えば、認証は、クレジット情報にもとづいて予めデータベースに登録されているユーザに関する情報（電話番号、有効期限、暗証番号）を検索し、それらの情報と携帯電話機４から送られてきた情報とが一致する否かを確認することにより行う。認証の結果、正当なユーザからの決済要求であると判断した場合は、携帯キャリア決済サーバ５は、決済要求情報に含まれている情報（クレジット決済に必要な情報）にもとづいてクレジット決済処理（代金の請求者への料金の支払い）を行う。携帯キャリア決済サーバ５は、クレジット決済処理を完了すると、決済が完了したことを通知する決済完了通知を携帯電話機４に送信する。なお、決済完了通知には、決済を行った商品、その金額、代金の支払い先、顧客を特定する情報（例えば氏名）などの情報も含まれている。
【００４８】
なお、携帯電話機４からの決済要求情報には暗証番号が含まれていなくてもよい。この場合、携帯キャリア決済サーバ５が本人認証を行う際に携帯電話機４に暗証番号の入力を要求し、それに応じて入力された暗証番号にもとづいて認証を行う。
【００４９】
携帯電話機４は携帯キャリア決済サーバ５から送信された決済完了通知を受信すると（ステップＳ７のＹｅｓ）、端末制御部４８は、記憶部４６に記憶されているＱＲコード作成プログラム４６Ｃにもとづいて、決済完了通知の情報をＱＲコード化する処理（ＱＲコードを作成する処理）を実行する（ステップＳ８）。そして、端末制御部４８は、作成した決済完了通知のＱＲコードを表示部４４（液晶画面）に表示する（ステップＳ９）。
【００５０】
（３）配達・決済完了の確認：
配達人は、顧客の携帯電話機４の画面に決済完了通知のＱＲコードを、携帯電話機３のカメラで撮影してＱＲコードを読み取る。そして、読み取ったＱＲコードに含まれるデータ（決済完了通知のデータ）をメールで宅配業者管理サーバ１に送信する。このような手順であれば、配達人は、決済完了とともに配達の完了も証明することができるので、顧客から捺印やサインをもらう必要がなくなる。
【００５１】
宅配業者管理サーバ１では、サーバ制御部１６は、携帯電話機３からのメールを通信部１１を介して受信する。そして、サーバ制御部１６は、メールに含まれるデータにもとづいて、注文された商品あるいは注文した顧客を認識し、配達管理ＤＢ１４に登録されている商品の注文毎の配達状況や決済状況を示すステータスを「配達中・決済未完」から「受け取り・決済完了」に変更する。これにより、注文された商品の配達が完了したことと商品の代金の支払い（決済）が完了したこととを確認し管理することができる。
【００５２】
なお、以上のような処理は、差出人からの小荷物を受取人に配達する場合でも同様である。ただし、決済されるのは、商品の代金ではなく着払いの荷物の配達料金である。
【００５３】
以上のように、この実施の形態１によれば、顧客が料金の支払方法を予め指定する必要がないので、顧客にとって便利であり、また、専用のデータ読取装置を用いてクレジットカードの情報を読み取るのではなく顧客の携帯電話機４を用いて決済を行っているので、顧客に安心感を宛てることができる。また、顧客の携帯電話機４がＱＲコードを読み取ることにより商品の料金などの決済に必要な情報を取得するので、店舗の端末とデータの送受信する必要がなく、顧客の自宅においてクレジット決済を行うことができる。
【００５４】
また、配達人の携帯電話機３で携帯電話機４の画面に表示されているＱＲコードを読み取ることにより決済完了通知を携帯電話機３内に取り込むようにしているので、捺印やサインをもらう必要がなくなり、顧客の手間が軽減される。また、宅配業者管理サーバ１において、伝票発行システム２からの管理情報や携帯電話機３からの決済完了通知にもとづいて容易かつ確実に配達状況や決済状況を管理することができる。
【００５５】
なお、上記の実施の形態１では、携帯電話機４が、携帯キャリア決済サーバ５からの決済完了通知を受信すると、その決済完了通知をＱＲコード化して画面に表示し、携帯電話機３が、画面に表示されているＱＲコードをカメラで撮影して読み取るように構成されていたが、このような構成に限られるわけではなく、赤外線通信などを利用して決済完了通知の情報を携帯電話機４から携帯電話機３に送信するように構成されていてもよい。
【００５６】
また、上記の実施の形態１では、携帯電話機３が決済完了通知をメールで宅配業者管理サーバ１に送信していたが、宅配業者管理サーバ１がインターネット上に提供しているＷｅｂサイトを通じて決済完了通知を送信したり、配達人がセンターに戻った後に携帯電話機３を宅配業者管理サーバ１に接続して決済完了通知のデータを宅配業者管理サーバ１に送信するような構成であってもよい。
【００５７】
また、上記の実施の形態１では、荷物配達業者は、着払いの荷物の配達料金の徴収を行うこととしていたが、販売業者に代わって商品の代金を徴収するようにしてもよい。この場合も、上記のようなクレジット決済処理により顧客が代金を支払うことが可能である。
【００５８】
また、上記の実施の形態１では、携帯キャリア決済サーバ５は、決済完了通知を携帯電話機４に送信するだけであったが、決済完了通知を宅配業者管理サーバ１にも送信するように構成されていてもよい。このような構成であれば、顧客に請求した金額と実際に決済された金額とを比較して一致するかどうかを判断することができる。その結果、例えば、不正に代金の情報が改ざんされた場合でも、そのことを容易に認識することができるようになる。
【００５９】
また、携帯キャリア決済サーバ５が携帯電話機４に決済完了通知を送信するときに、クレジット会社または通信事業者のデジタル署名を合わせて携帯電話機４に送信するようにしてもよい。このような構成であれば、デジタル署名のない決済完了通知は正当な通知でないことになり、決済が行われていない（決済完了通知を受け取っていない）のに携帯電話機４において不正に決済完了通知を表示して、決済が行われたように欺く行為を防止することができる。
【００６０】
実施の形態２．
上記の実施の形態１では、宅配業者が顧客からの注文を受けて商品を顧客に宅配する場合および宅配業者が差出人からの荷物を受取人に宅配する場合について説明したが、オンラインショッピングが盛んに行われている今日においては、ネット上で商品を販売している販売業者が顧客からの注文に応じて宅配業者を介して商品を顧客に発送することが頻繁に行われている。このような場合においても本発明を適用することができる。以下、販売業者が宅配業者を介して商品を顧客に配送する場合について説明する。
【００６１】
図６は、実施の形態２における決済システムの構成を示すシステム構成図である。図６に示す構成において、販売業者サーバ６は、オンラインショッピングなどの販売業者によって設置された、商品の注文の受付や商品の発送、決済を管理するサーバである。販売業者サーバ６は、インターネットなどの通信ネットワークに接続されている。
【００６２】
図１に示したシステム構成では、宅配業者の店舗に設置された伝票発行システム２においてＱＲコードが印刷された伝票を発行していたが、図６に示すシステム構成では、販売業者においてＱＲコードが印刷された納品伝票を発行する。なお、販売業者によって設置された図１の伝票発行システムと同様のシステムが納品伝票を発行してもよいし、販売業者サーバ６が納品伝票を発行してもよい。また、販売業者は、発行したＱＲコードを宅配業者の伝票に貼り付ける構成であってもよい。販売業者が発行するＱＲコードには、商品の代金の決済に必要な情報が含まれている。
【００６３】
図６に示すように、宅配業者管理サーバ１および携帯キャリア決済サーバ５も、通信ネットワーク１００に接続されている。
【００６４】
なお、図６に示すその他の構成については、図１に示した構成と同様であるため、重複する説明を省略する。
【００６５】
次に、実施の形態２における携帯端末を利用した決済システムの動作（決済方法）について説明する。
【００６６】
販売業者サーバ６は、商品の注文を受けると、その注文に応じた納品伝票を生成する。納品伝票には、上記したように、商品の代金のクレジット決済に必要な情報が収納されたＱＲコードが印刷（印字）される。また、販売業者サーバ６は、注文された商品に関する配達状況や決済状況を示す情報をデータベースに登録する。そして、販売業者は、発行した伝票を商品または商品の包装などに貼り付けて宅配業者に商品の配達を委託する。宅配業者は、販売業者から配達を委託された商品を受け取ると、顧客に配達する。以後のクレジット決済処理の手順は、上記の実施の形態１の場合と同様である。
【００６７】
携帯キャリア決済サーバ５は、決済完了通知を携帯電話機４に送信した後に、決済完了通知を通信ネットワーク１００を通じて販売業者サーバ６に送信する。販売業者サーバ６は、携帯キャリア決済サーバ５から送信された決済完了通知を受信し、受信した決済完了通知の情報にもとづいて、データベースに登録されている商品の注文毎の配達状況や決済状況を示すステータスを「配達中・決済未完」から「受け取り・決済完了」に変更する。これにより、注文された商品の配達が完了したことと商品の代金の支払い（決済）が完了したこととを確認し管理することができる。
【００６８】
また、宅配業者管理サーバ１が、携帯電話機３からメールで送信された決済完了通知を受信すると、その決済完了通知を販売業者サーバ６に送信するように構成されていてもよい。このような構成であれば、一層確実に配達が完了したことを販売業者サーバ６において確認することができる。
【００６９】
なお、図１および図６に示したサーバの内部構成については、宅配業者管理サーバ１の構成しか示していないが、その他のサーバも、ＣＰＵが記憶部に記憶されている制御プログラムに従って各種の制御を実行する。
【産業上の利用可能性】
【００７０】
本発明は、店舗外において携帯電話機を用いたクレジット決済を行うシステムに適用される。
【図面の簡単な説明】
【００７１】
【図１】実施の形態１における決済システムの構成を示すシステム構成図である。
【図２】納品伝票の例を示す説明図である。
【図３】宅配業者管理サーバの構成を示すブロック図である。
【図４】顧客が所有する携帯電話機の構成を示すブロック図である。
【図５】携帯電話機が実行する決済処理の手順を示すフローチャートである。
【図６】実施の形態２における決済システムの構成を示すシステム構成図である。
【符号の説明】
【００７２】
１  宅配業者管理サーバ
２  伝票発行システム
３  携帯電話機
４  携帯電話機
５  携帯キャリア決済サーバ
６  販売業者サーバ
１４  配達管理データベース
１５  記憶部
１６  サーバ制御部
４１  カメラ
４２  カメラ制御部
４４  表示部
４６  記憶部
４８  端末制御部
【図１】
2007257474.tif 000003
【図２】
2007257474.tif 000004
【図３】
2007257474.tif 000005
【図４】
2007257474.tif 000006
【図５】
2007257474.tif 000007
【図６】
2007257474.tif 000008